(57)【要約】【課題】ボイドスラブ用のボイド管や螺旋管を所定の位置に納めるための金物の取付け作業はこの金物をセットする型枠ベニア板の下側での作業を伴い、非常に危険かつ辛辣である。【解決手段】本発明による金物を用いることにより型枠ベニア板の上方だけの作業でボイド管を取り付けることができるので、短時間にかつ安全に取付け作業ができる。。【選択図】      図１
2004183455.tif 000002
【特許請求の範囲】
【請求項１】
ボイドスラブ用のボイド管や螺旋管をスラブ底面の型枠ベニア板から所定の高さに、かつ強固に、尚かつ効率よく納めるための特徴的な形状を有する金物。
【発明の詳細な説明】
【０００１】
【発明の属する技術分野】
本発明は、鉄筋コンクリート造の建築物に関する。かかる建築物におけるコンクリート床即ちスラブは、材料の節約、軽量化、遮音等を目的として、しばしばボイドスラブで施工される。
本発明は、ボイドスラブで使用されるボイド管や螺旋管を簡易的かつ強固に固定する金物に関する。
【０００２】
【従来の技術】
従来、ボイドスラブ用のボイド管や螺旋管をスラブ底面の型枠ベニア板から所定の高さに納めるための金物は、通称Ｐコンと呼ばれる壁や梁等の型枠の膨らみ防止用金物の一部を利用しているため、その取付け、解体及び補修などの一連の作業も壁や梁等の型枠の施工時と全く同じとなる。このような金物を当該階のスラブの型枠に取り付けようとすれば、その作業はその下の階の天井側で行うこととなり、所謂高所作業の危険性、無理な姿勢での作業などを伴うこととなる。加えてＰコンを取り除いたあとの補修作業も高所であるが故に辛辣なものとなっている。
【０００３】
【発明が解決しようとする課題】
ボイドスラブ用のボイド管や螺旋管をスラブ底面の型枠ベニア板から所定の高さに納めかつこれらの管がコンクリートの打設時に受ける浮力や押圧力により移動しないように固定する施工に際して、その作業を当該階の床上で行うこと。さらにコンクリート床の型枠を解体する際の前処理作業の軽減、同じく解体後の補修作業をなくすこと。
【０００４】
【課題を解決するための手段】
本発明者は鋭意研究した結果、ボイド管や螺旋管をスラブ底面の型枠ベニア板から所定の高さに納めることのできる金物を造ることに成功した。この金物は、当該階床上の作業だけで型枠ベニア板に取り付けることができることを特徴とする。
この金物にボイド管を載せたときボイド管が自重で撓まない程度のピッチで金物を取付けてからボイド管をセットし、予め金物に取り付けてある２本のナマシ線でボイド管を締め付ける。
【０００５】
以下、本発明を図に従い、詳しく説明する。
図１の（ａ）、（ｂ）は本発明によるボイド管等を支持する金物で、主要部分は鋼線をプレス加工して造られている。ここで符号１はボイド管等を所定の高さにセットするための足の部分でその足元は、符号２の如きの樹脂による防錆処理が施されている。符号３はボイド管を載せる部分で、使用するボイド管の外径に合わせた曲率を有し、符号１の２本の足と溶接されている。符号４はボイド管を縛り付けて固定するためのなまし鉄線である。符号５はネジ加工を施した鋼線で、その一方は六角ボルトの態を成し、他方先端部は符号３の曲率鋼線と溶接されている。そして符号５の鋼線には、予め符号６のごときの主要部がプラスチック製でネジ部に金属ナットを埋め込んだ蝶ネジ、及び符号７のごときのプラスチック製で円筒状のコマ、及び符号８のごときのやはりプラスチック製で開閉機能を有する円錐状のラッパが入れてある。
この金物を型枠のベニア板上に取り付ける際は、型枠のベニア板に所定のピッチ（通常１メートル）で符号８のラッパの閉花時の外径に相当する穴を開けておく。この穴に本発明による金物を挿入すると、まず符号８のラッパは穴を通過する際は閉花し、穴を通過後は開花して穴の径より大きく開くので逆止効果を発揮する。次に符号６の蝶ネジを締めこんでいくと符号７のコマは型枠のベニア板の穴に押し込まれていく、このコマは型枠のベニア板の厚さと同じ高さを有しているので符号６の蝶ネジが回らなくなるまで締めこんだとき、金物全体が強固に型枠のベニア板に固定される仕組みである。図２はこの仕組みの詳細な断面図である。
また型枠のベニア板を解体する際、除去する必要のある符号５の鋼線のスラブ下面から突出した部分、及び符号７のコマ、及び符号８のラッパを取り除くために符号５の鋼線には（ａ）、（ｂ）いづれも符号９の切り欠きが入っている。この切り欠きを入れておくことによって、型枠のベニア板を解体する前にこの鋼線の六角ボルトの部分を捻ったときこの切り欠き部分から簡単に切断することができ、したがって上述の各部を除去できる仕組みである。
【０００６】
図３は金物（ａ）の使用状態をボイド管の軸方向から見た図である。ここで符号１０は型枠のベニア板、符号１１は下筋、符号１２はボイド管、符号１３は上筋、符号１４はスラブのコンクリートである。図４は金物（ａ）の使用状態をボイド管の側面から見た図である。
図５は金物（ｂ）の使用状態をボイド管の軸方向から見た図である。図６は金物（ｂ）の使用状態をボイド管の側面から見た図である。
【０００７】
以上の如くの本発明による金物を用いたボイド管を所定の位置に固定するための一連の作業は、すべて当該する階の床上で行うことができる。したがって作業者は、安全かつ簡単にボイド管の取付け作業を行うことができる。
【０００８】
【実施例】
スラブ厚３００ｍｍ、鉄筋径Ｄ１３（下筋、上筋とも）、ボイド管口径１５０ｍｍ、かぶり３０ｍｍという条件のボイドスラブで、ボイド管の２０ケ所を本発明による金物を使用してボイド管の固定作業ならびにコンクリートの打設を行った。その結果、従来一ヶ所固定するのに平均１０分間を要していた作業が、平均５分間で済み大幅に短縮された。またコンクリートの打設に際してもボイド管がコンクリートから受ける浮力及び押圧力によるボイド管の変位は、全く認められなかった。
また型枠のベニア板の解体に際してもネジ加工鋼線の六角ボルト部の切断に始まる一連の除去処理が問題なく行われ、解体作業は安全かつ迅速に完了した。
【０００９】
【発明の効果】
以上説明した本発明による金物でボイド管の取付け作業を行えば、作業者は当該階床上だけの作業でボイド管の取付けを完了することができる。したがって作業者は、安全かつ簡単にボイド管の取付け作業を行うことができる。
【図面の簡単な説明】
【図１】（ａ）、（ｂ）はともに本発明による金物。
【図２】金物固定部分の詳細な断面図。
【図３】本発明による金物（ａ）の使用状態をボイド管の軸方向から見た図。
【図４】金物（ａ）の使用状態をボイド管の側面から見た図。
【図５】本発明による金物（ｂ）の使用状態をボイド管の軸方向から見た図。
【図６】金物（ｂ）の使用状態をボイド管の側面から見た図。
【符号の説明】
１，金物の足
２，足元の樹脂による防錆
３，金物のボイド管を載せる部分
４，なまし鉄線
５，ネジ加工を施した鋼線
６，金属ナットを埋め込んだプラスチック製の蝶ネジ
７，プラスチック製のコマ
８，プラスチック製のラッパ
９，切り欠き
１０，型枠のベニア板
１１，スラブの下筋
１２，ボイド管
１３，スラブの上筋
１４，スラブのコンクリート
【図１】
2004183455.tif 000003
【図２】
2004183455.tif 000004
【図３】
2004183455.tif 000005
【図４】
2004183455.tif 000006
【図５】
2004183455.tif 000007
【図６】
2004183455.tif 000008
【手続補正書】
【提出日】平成15年1月24日(2003.1.24)
【手続補正１】
【補正対象書類名】明細書
【補正対象項目名】０００５
【補正方法】変更
【補正の内容】
【０００５】
以下、本発明を図に従い、詳しく説明する。
図１の（ａ）、（ｂ）は本発明によるボイド管等を支持する金物で、主要部分は鋼線をプレス加工して造られている。ここで符号１はボイド管等を所定の高さにセットするための足の部分でその足元は、符号２の如きの樹脂による防錆処理が施されている。符号３はボイド管を載せる部分で、使用するボイド管の外径に合わせた曲率を有し、符号１の２本の足と溶接されている。符号４はボイド管を縛り付けて固定するためのなまし鉄線である。符号５はネジ加工を施した鋼線で、その一方は六角ボルトの態を成し、他方先端部は符号３の曲率鋼線と溶接されている。そして符号５の鋼線には、予め符号６のごときの主要部がプラスチック製でネジ部に金属ナットを埋め込んだ蝶ネジ、及び符号７のごときのプラスチック製で円筒状のコマ、及び符号８のごときのやはりプラスチック製で開閉機能を有する円錐状のラッパが入れてある。
この金物を型枠のベニア板上に取り付ける際は、型枠のベニア板に所定のピッチ（通常１メートル）で符号８のラッパの閉花時の外径に相当する穴を開けておく。この穴に本発明による金物を挿入すると、まず符号８のラッパは穴を通過する際は閉花し、穴を通過後は開花して穴の径より大きく開くので逆止効果を発揮する。次に符号６の蝶ネジを締めこんでいくと符号７のコマは型枠のベニア板の穴に押し込まれていく、このコマは型枠のベニア板の厚さより若干大きい高さを有しているので符号６の蝶ネジを回らなくなるまで締めこんだとき、符号８のラッパの内側に入り込みラッパの開花を確実なものにすることができ、その結果金物全体が強固に型枠のベニア板に固定される仕組みである。図２はこの部分の詳細な断面図である。
また型枠のベニア板を解体する際、除去する必要のある符号５の鋼線のスラブ下面から突出した部分、及び符号７のコマ、及び符号８のラッパを取り除くために符号５の鋼線には（ａ）、（ｂ）いづれも符号９の切り欠きが入っている。この切り欠きを入れておくことによって、型枠のベニア板を解体する前にこの鋼線の六角ボルトの部分を捻ったときこの切り欠き部分から簡単に切断することができ、したがって上述の各部を除去できる仕組みである。




【手続補正書】
【提出日】平成15年2月14日(2003.2.14)
【手続補正１】
【補正対象書類名】明細書
【補正対象項目名】０００５
【補正方法】変更
【補正の内容】
【０００５】
以下、本発明を図に従い、詳しく説明する。
図１の（ａ）、（ｂ）は本発明によるボイド管等を支持する金物で、主要部分は鋼線をプレス加工して造られている。ここで符号１はボイド管等を所定の高さにセットするための足の部分でその足元は、符号２の如きの樹脂による防錆処理が施されている。符号３はボイド管を載せる部分で、使用するボイド管の外径に合わせた曲率を有し、符号１の２本の足と溶接されている。符号４はボイド管を縛り付けて固定するためのなまし鉄線である。符号５はネジ加工を施した鋼線で、その一方は六角ボルトの態を成し、他方先端部は符号３の曲率鋼線と溶接されている。そして符号５の鋼線には、予め符号６のごときの主要部がプラスチック製でネジ部に金属ナットを埋め込んだ蝶ネジ、及び符号７のごときのプラスチック製で円筒状のコマ、同じく符号７ａのごとき円盤及び符号８のごときのやはりプラスチック製で開閉機能を有する円錐状のラッパが入れてある。この金物を型枠のベニア板上に取り付ける際は、型枠のベニア板に所定のピッチ（通常１メートル）で符号８のラッパの閉花時の外径に相当する穴を開けておく。この穴に本発明による金物を挿入すると、まず符号８のラッパは穴を通過する際は閉花し、穴を通過後は開花して穴の径より大きく開くので逆止効果を発揮する。次に符号６の蝶ネジを締めこんでいくと符号７のコマは型枠のベニア板の穴に押し込まれていく、このコマは型枠のベニア板の穴径より若干大きい直径を有しているので符号６の蝶ネジを回らなくなるまで締めれば将来型枠を解体したときも型枠ベニア板の穴に堅固に固定される仕組みである。その結果このベニア板には符号５の鋼線の径に相当する小さい穴しか開いてなので上の階で転用しても生コンクリートが漏れることがない。また符号７のコマがベニア板に固定された際、符号７ａの円盤はベニア板から押し出され符号８のラッパの内側に入り込みラッパの開花を確実なものにすることができ、その結果金物全体が強固に型枠のベニア板に固定される仕組みである。図２はこの部分の詳細な断面図である。
また型枠のベニア板を解体する際、除去する必要のある符号５の鋼線のスラブ下面から突出した部分、及び符号７ａの円盤、及び符号８のラッパを取り除くために符号５の鋼線には（ａ）、（ｂ）いづれも符号９の切り欠きが入っている。この切り欠きを入れておくことによって、型枠のベニア板を解体する前にこの鋼線の六角ボルトの部分を捻ったときこの切り欠き部分から簡単に切断することができ、したがって上述の各部を除去できる仕組みである。その結果型枠のベニア板の解体を遮るものは皆無となる。


【手続補正２】
【補正対象書類名】明細書
【補正対象項目名】符号の説明
【補正方法】変更
【補正の内容】
【符号の説明】
１，金物の足
２，足元の樹脂による防錆
３，金物のボイド管を載せる部分
４，なまし鉄線
５，ネジ加工を施した鋼線
６，金属ナットを埋め込んだプラスチック製の蝶ネジ
７，プラスチック製のコマ
７ａ，プラスチック製の円盤
８，プラスチック製のラッパ
９，切り欠き
１０，型枠のベニア板
１１，スラブの下筋
１２，ボイド管
１３，スラブの上筋
１４，スラブのコンクリート


【手続補正３】
【補正対象書類名】図面
【補正対象項目名】図１
【補正方法】変更
【補正の内容】
【図１】
2004183455.tif 000009
【手続補正４】
【補正対象書類名】図面
【補正対象項目名】図２
【補正方法】変更
【補正の内容】
【図２】
2004183455.tif 000010